(57)【特許請求の範囲】
【請求項１】
身体に貼着するための貼着面に粘着剤が塗布されてなるテープ材からなる治療用テープであって、
前記テープ材には、ほぼ長手方向に延びる所定長さのスリット部が幅方向にわたって複数形成されるとともに、前記貼着面の反対面に、複数の前記スリット部に跨るように連結部材が離脱自在に取り付けられていることを特徴とする治療用テープ。
【請求項２】
前記連結部材は、前記テープ材との対向面に粘着剤が塗布されたシート部材からなる請求項１に記載の治療用テープ。
【請求項３】
前記シート部材は、前記テープ材の所定箇所に貼着されている請求項１または２に記載の治療用テープ。
【請求項４】
前記シート部材は、前記テープ材のほぼ全域にわたって貼着されている請求項１または２に記載の治療用テープ。
【請求項５】
前記テープ材は、帯状に形成されてロール状に巻回されている請求項４に記載の治療用テープ。
【請求項６】
前記連結部材は、複数の前記スリット部に跨るように取り付けられた線状部材からなる請求項１に記載の治療用テープ。
【発明の詳細な説明】
【０００１】
【発明の属する技術分野】
【０００２】
本発明は、身体の痛みや凝り等を治療するために患部に貼着する治療用テープに関する。
【０００３】
【従来の技術】
従来、身体の痛みや凝り等が生じるのは、筋肉の衰えにより身体のバランスが崩れ、ゆがみが生じて筋肉内の血管が収縮して疲労物質・乳酸などが溜まることが原因の一つであることから、身体にテープを貼着することで、皮膚に物理的な刺激を与え、筋肉内の血流を正常化して筋力を高めることにより治療する方法があった。
【０００４】
このようなテープとしては、特に身体の肘や膝などの関節部に貼着した時に皮膚が引っ張られることがないように、かつ、皮膚に対してより多くの刺激を与えること等を目的として、例えば図７に示されるように、身体への貼着面０１ａに粘着剤が塗布されるとともに、長手方向を向く切れ目０２（スリット）を複数本設けて複数本の細長の帯状片０３を形成した短冊型の治療用テープ０１等が提案されている。
【０００５】
【発明が解決しようとする課題】
しかしながら、このような従来の短冊型のテープ０１にあっては、予め貼着面０１ａに粘着剤が塗布されているため、貼着面１ａに剥離自在に貼着された剥離シート０４を剥離して患部に貼着する際において、テープ０１に形成された複数の細長の帯状片０３がばらけて互いにもつれたり、捻れるなどしてテープ０１の形状が崩れて一定しないため、患部への貼着が難しいといった問題を有していた。
【０００６】
本発明は、このような問題点に着目してなされたもので、患部に貼着されたテープ材により皮膚が引っ張られることなく、また、より多くの刺激を与えることが出来るとともに、患部への貼着を容易に行うことが出来る治療用テープを提供することを目的とする。
【０００７】
【課題を解決するための手段】
上記課題を解決するために、本発明の治療用テープは、身体に貼着するための貼着面に粘着剤が塗布されてなるテープ材からなる治療用テープであって、
前記テープ材には、ほぼ長手方向に延びる所定長さのスリット部が幅方向にわたって複数形成されるとともに、前記貼着面の反対面に、複数の前記スリット部に跨るように連結部材が離脱自在に取り付けられていることを特徴としている。
この特徴によれば、複数のスリット部によりテープ材が幅方向の伸張性を有するため、身体の肘や膝などの関節部に貼着しても皮膚が引っ張られることがないとともに、皮膚に対してより多くの刺激を与えることが出来る。また、連結部材が複数のスリット部に跨るように取り付けられることで、患部へ貼着する際におけるテープ材自体の幅方向への広がりが規制され、テープ材が互いにもつれたり捩れにくくなるので、患部に容易に貼着することが出来るとともに、連結部材はテープ材における貼着面の反対面に離脱自在に取り付けられているので、テープ材の患部への貼着後においてに簡単に取り外すことが出来、貼着後における伸張性が損なわれることがない。
【０００８】
本発明の治療用テープの前記連結部材は、前記テープ材との対向面に粘着剤が塗布されたシート部材からなることが好ましい。
このようにすれば、治療用テープの収納時に連結部材が嵩張ることがないので、コンパクトに収納出来る。
【０００９】
本発明の治療用テープの前記シート部材は、前記テープ材の所定箇所に貼着されていることが好ましい。
このようにすれば、シート部材を部分的に貼着することで、患部へ貼着する際におけるテープ材自体の幅方向への広がりを効率よく規制出来るばかりか、製造コストを低減出来る。
【００１０】
本発明の治療用テープの前記シート部材は、前記テープ材のほぼ全域にわたって貼着されていることが好ましい。
このようにすれば、患部へ貼着する際におけるテープ材自体の幅方向への広がりを確実に規制することが出来る。
【００１１】
本発明の治療用テープの前記テープ材は、帯状に形成されてロール状に巻回されていることが好ましい。
このようにすれば、貼着面に塗布された粘着剤がシート部材により保護されるので、粘着剤を保護するための剥離シート等が不要となるため、製造コストを低減出来る。
【００１２】
本発明の治療用テープの前記連結部材は、複数の前記スリット部に跨るように取り付けられた線状部材からなることが好ましい。
このようにすれば、連結部材をテープ部材に部分的に効率よく取り付けることが出来る。
【００１３】
【発明の実施の形態】
以下、本発明の実施例を図面に基づいて説明する。
【００１４】
図１は本発明が適用された治療用テープ１を示す斜視図である。この治療用テープ１は、図２に示されるように、肩こり等の患部に貼着して使用する。これにより、患部に貼着された治療用テープ１により皮膚を介して刺激が感覚器に伝達され、患部の血行が良くなることで筋肉の萎縮が解消されるようになっている。
【００１５】
この治療用テープ１は、図１に示されるように、長手方向の伸張性を有する綿布製の短冊型テープ材からなり、その両端縁部（短寸の端縁部）近傍に設けられた非スリット領域５、５（非切断領域）間には、長手方向を向く線状のスリット６が幅方向にわたって所定間隔おきに複数本形成されており、これらスリット６、６間には細長の帯状片７（帯状テープ部）が複数形成されている。
【００１６】
このように治療用テープ１は、両端縁部の非スリット領域５、５間には長手方向を向くスリット６が幅方向に複数形成されているため、治療用テープ１が幅方向の伸張性を有するため、身体の肘や膝などの関節部に貼着しても皮膚が引っ張られることがないとともに、テープにおける複数のスリット６の端縁部にも皮膚が接触しやすくなり、皮膚により多くの刺激が与えられるようになるため、治療効果が向上する。
【００１７】
また、図１に示されるように、治療用テープ１の表面１ａには、表面１ａとの対向面全域に粘着剤が塗布されたシート部材としての透明なフィルムシート２（連結部材）が、表面１ａ全域を被覆するように、かつ、剥離自在に貼着されている。
【００１８】
また、治療用テープ１における患部への貼着面となる裏面１ｂには、皮膚に貼着させるための粘着剤が塗布されており、この裏面１ｂには、裏面１ｂ全域を被覆するようにして剥離シート３が剥離自在に貼着されている。
【００１９】
次に、このように構成された治療用テープ１の患部への貼着方法を図３に基づいて説明すると、まず、図３（ａ）に示すように、治療用テープ１の裏面１ｂに貼着されている剥離シート３を剥離しておく。次いで、図３（ｂ）に示すように、剥離シート３が剥離された治療用テープ１の貼着面（下面１ｂ）を、患部の皮膚に貼着する。最後に、図３（ｃ）に示すように、フィルムシート２を治療用テープ１の表面１ａから剥離する。
【００２０】
このように、治療用テープ１の表面１ａ全域にフィルムシート２が貼着された状態では、各帯状片７が連結部材としてのフィルムシート２により互いに離間不能に連結されているため、治療用テープ１を患部に貼着するために剥離シート３を剥離した際における治療用テープ１自体の幅方向への広がりが規制され、従来のようにスリット６により形成される複数の帯状片７がばらついて互いにもつれたり捩れにくくなり、剥離シート３を剥離した際の取り扱いが容易となるため、患部へ容易に貼着することが出来る。
【００２１】
また、各帯状片７同士を離間不能とするフィルムシート２は、治療用テープ１の表面１ａに剥離自在に設けられることで、治療用テープ１の貼着後において簡単に除去出来るため、スリット６による治療用テープ１の伸縮性を損ねることがない。
【００２２】
尚、本実施例における治療用テープ１は、治療用テープ１の表面１ａ全域に貼着されるフィルムシート２により、剥離シート３を剥離して患部に貼着する際におけるテープ１自体の幅方向への広がりや各帯状片７の捩れ等が防止されているが、シート部材としてのフィルムシート２は、複数のスリット６に跨るように取り付けられていれば必ずしも治療用テープ１の表面１ａ全域に貼着されなくてもよく、例えば、図４（ａ）に示すように、各帯状片７における長手方向の一部が所定長さのフィルムシート８により被覆されるように、各帯状片７の長手方向所定箇所を横切るように貼着してもよく、このように部分的に効率よく貼着することでコストを低減出来る。
【００２３】
このように患部に貼着する際におけるテープ１自体の幅方向への広がりを規制するための連結部材としてフィルムシート２、８のようなシート部材を用いることで、治療用テープ１の収納時に連結部材が嵩張ることがないので、コンパクトに収納出来る。
【００２４】
また、このような連結部材は、フィルムシート２、８のようなシート部材に限定されるものではなく、例えば図４（ｂ）に示すように、例えば糸や紐等からなる線状部材９を、複数のスリット６に跨るように、例えば粘着剤等を介して取り付けて各帯状片７を連結するようにしてもよい。なお、このような線状部材９の取り付け位置や向き、数量等は図面に記載したものに限定されるものではない。
【００２５】
また、このような線状部材９は、治療用テープ１の表面１ａに粘着剤を介して取り外し可能に取り付けてもよいし、あるいは綿布の治療用テープ１の繊維間を挿通させるようにして取り付けられていてもよい。
【００２６】
図５には、本発明の変形例としての治療用テープ１０の外観斜視図が示されている。この治療用テープ１０は、幅方向にわたって形成される非スリット領域１１（非切断領域）と、この非スリット領域１１、１１間における幅方向に複数本形成される長手方向を向く線状のスリット１３と、が長手方向に交互に形成された帯状のシート材からなり、帯状のシート材はロール状に巻回されている。
【００２７】
このような帯状の治療用テープ１０においては、例えば非スリット領域１１の部分をカットすることで、前述した治療用テープ１とほぼ同様に使用できるものである。
【００２８】
また、治療用テープ１０の表面１０ａ全域にはフィルムシート１５が剥離自在に貼着されているとともに、裏面１０ｂには、皮膚に貼着させるための粘着剤が塗布された貼着面が形成されている。すなわち、粘着剤が塗布された貼着面である裏面１０ｂは、テープ材が巻回された際においてフィルムシート１５の表面に貼着されるようになっている。
【００２９】
このように連結部材をシート状のフィルムシート１５により構成し、これを表面１０ａ全域に設けることで、治療用テープ１０の裏面１０ｂ、すなわち、患部への貼着面に塗布された粘着剤を保護するために別途剥離シートを使用することなく、患部へ貼着する際における治療用テープ１自体の幅方向への広がりを規制するためのフィルムシート１５により貼着面の粘着剤を保護することができるため、製造コストを低減できる。
【００３０】
また、図６には、別パターンのスリットが配置された変形例としての短冊形の治療用テープ１’の表面１ａ’に連結部材としてのフィルムシートが示されている。
【００３１】
このように、スリットの配置パターンは、図１に示した治療用テープ１に配置されたスリット６のようなパターンに限定されるものではなく、図６の治療用テープ１’のように、図中点線で示される長手方向に延びるスリットライン１７Ｌに沿って、スリット１７からなるスリット部１７ａ、及び切れ目のない非スリット部１７ｂが交互に設けられるように、治療用テープ１’の長手方向に向かって断続的に、かつ、これら長手方向に向かって交互に設けられるスリット部１７ａ及び非スリット部１７ｂが、治療用テープ１’の幅方向（図中横方向）にわたって所定間隔おきに複数形成されるように並設されている。
【００３２】
また、互いに隣り合うスリットライン１７Ｌ、１７Ｌ上のスリット部１７ａ及び非スリット部１７ｂは、一方のスリットライン１７Ｌ上の非スリット部１７ｂが、他方のスリットライン１７Ｌ上のスリット部１７ａの長手方向ほぼ中央に位置するように設けられている。
【００３３】
このように、各スリットライン１７Ｌ上に形成されたスリット部１７ａ及び非スリット部１７ｂが、互いに長手方向にずれた状態で配置されていることで、各スリットライン１７Ｌに非スリット部１７ｂが幅方向にわたって直線状に配置されて、治療用テープ１’における所定箇所の幅方向の伸張性が損なわれることがないとともに、スリット１７が複数形成されても、患部へ貼着する際における治療用テープ１’自体の幅方向への広がりが非スリット部１７ｂにより規制される。
【００３４】
よって、フィルムシート１６及びスリット部の配置パターンにより、患部へ貼着する際における治療用テープ１’自体の幅方向への広がりの規制作用が効果的に働くため、患部への貼着がより容易になる。なお、このようなスリット部のパターンは、言うまでもなく図５のロール状に巻回された帯状の治療用テープにも適用可能である。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、スリット６、１３の長さや配置パターン等は限定されるものではなく、種々に変形可能である。
【００３７】
また、治療用テープ１、１０のテープ材は、長手方向に伸縮性を有する綿布であるが、テープ材自体の伸縮性の有無は問われるものではないとともに、材質も特に綿布に限定されるものではない。
【００３８】
なお、このような治療用テープは患部へ貼着して使用するだけでなく、例えば同じ治療用テープを身体における患部の反対側にバランスよく貼着することも可能であり、身体の任意の箇所に貼着して使用することが可能である。
【００３９】
【発明の効果】
本発明は以下の効果を奏する。
【００４０】
（ａ）請求項１項の発明によれば、複数のスリット部によりテープ材が幅方向の伸張性を有するため、身体の肘や膝などの関節部に貼着しても皮膚が引っ張られることがないとともに、皮膚に対してより多くの刺激を与えることが出来る。また、連結部材が複数のスリット部に跨るように取り付けられることで、患部へ貼着する際におけるテープ材自体の幅方向への広がりが規制され、テープ材が互いにもつれたり捩れにくくなるので、患部に容易に貼着することが出来るとともに、連結部材はテープ材における貼着面の反対面に離脱自在に取り付けられているので、テープ材の患部への貼着後においてに簡単に取り外すことが出来、貼着後における伸張性が損なわれることがない。
【００４１】
（ｂ）請求項２項の発明によれば、治療用テープの収納時に連結部材が嵩張ることがないので、コンパクトに収納出来る。
【００４２】
（ｃ）請求項３項の発明によれば、シート部材を部分的に貼着することで、患部へ貼着する際におけるテープ材自体の幅方向への広がりを効率よく規制出来るばかりか、製造コストを低減出来る。
【００４３】
（ｄ）請求項４項の発明によれば、患部へ貼着する際におけるテープ材自体の幅方向への広がりを確実に規制することが出来る。
【００４４】
（ｅ）請求項５項の発明によれば、貼着面に塗布された粘着剤がシート部材により保護されるので、粘着剤を保護するための剥離シート等が不要となるため、製造コストを低減出来る。
【００４５】
（ｆ）請求項６項の発明によれば、連結部材をテープ部材に部分的に効率よく取り付けることが出来る。
【図面の簡単な説明】
【図１】本発明が適用された治療用テープの外観斜視図である。
【図２】図１の治療用テープを患部に貼着した状態を示す図である。
【図３】（ａ）〜（ｃ）は、図１の治療用テープを患部へ貼着させる際の要領を示す断面模式図である。
【図４】図１の治療用テープの変形例を示す表面図である。
【図５】本発明が適用された治療用テープの変形例を示す外観斜視図である。
【図６】スリット部の配置パターンの変形例を示す外観斜視図である。
【図７】従来の治療用テープを示す斜視図である。
【符号の説明】
１      治療用テープ
１ａ    表面
１ｂ    裏面（貼着面）
２      フィルムシート（シート部材、連結部材）
３      剥離シート
５      非スリット領域
６      スリット
７      帯状片
８      フィルムシート（シート部材、連結部材）
９      線状部材（連結部材）
１０    治療用テープ
１０ａ  表面
１０ｂ  裏面
１１    非スリット領域
１３    スリット
１４    帯状片
１５、１６  フィルムシート（シート部材、連結部材）
１７    スリット
１７Ｌ  スリットライン
１７ａ  スリット部
１７ｂ  非スリット部
【図１】
0003877628.tif 000002
【図２】
0003877628.tif 000003
【図３】
0003877628.tif 000004
【図４】
0003877628.tif 000005
【図５】
0003877628.tif 000006
【図６】
0003877628.tif 000007
【図７】
0003877628.tif 000008